(57)【要約】【課題】第１画像データと第２画像データに対してＣＭＳ処理を行う場合に、コスト上昇を抑制して処理時間を速くできるカラーマネジメント処理装置を提供すること。【解決手段】カメラ画像データとフレーム画像データの２つの画像データに対してカラーマネジメント（ＣＭＳ）処理を行う装置において、選択制御信号に基づいて、カメラ画像データあるいはフレーム画像データのいずれかを選択するセレクタ３６と、カメラ画像データに対してＣＭＳ処理を行うための第１パラメータを設定する第１パラメータ用メモリ３８ａと、フレーム画像データに対してＣＭＳ処理を行うための第２パラメータを設定する第２パラメータ用メモリ３８ｂと、選択制御信号に基づいて、第１パラメータあるいは第２パラメータのいずれかを選択するセレクタ３９と、設定されたパラメータに基づきＣＭＳ処理を行うＣＭＳ演算回路４０と、ＣＭＳ処理されたカメラ画像データとフレーム画像データとの合成処理を行う合成処理部１２を備えた。【選択図】図３
2006287693.tif 000002
【特許請求の範囲】
【請求項１】
少なくとも、第１画像データと第２画像データの２つの画像データに対してカラーマネジメント処理を行う装置において、
選択制御信号に基づいて、第１画像データあるいは第２画像データのいずれかを選択する画像選択部と、
カラーマネジメント処理回路であって、
選択された画像データに対してカラーマネジメント処理を行うためのパラメータが設定されるパラメータ設定部、及び、
選択された画像データに対して、設定されたパラメータに基づきカラーマネジメント処理を行うカラーマネジメント演算部とを有するカラーマネジメント処理回路とを備え、
カラーマネジメント処理された第１画像データあるいは第２画像データをカラーマネジメント演算部から出力させるように構成したことを特徴とするカラーマネジメント処理装置。
【請求項２】
前記第２画像データは、第１画像データと画像合成されるべき画像データであり、
前記パラメータ設定部に設けられ、第１画像データに対してカラーマネジメント処理を行うための第１パラメータを設定する第１設定部と、
前記パラメータ設定部に設けられ、第２画像データに対してカラーマネジメント処理を行うための第２パラメータを設定する第２設定部と、
前記選択制御信号に基づいて、第１パラメータあるいは第２パラメータのいずれかを選択するパラメータ選択部とを備え、
選択された画像データとパラメータに基づいて、前記カラーマネジメント演算部においてカラーマネジメント処理が行われ、
カラーマネジメント処理された第１画像データと第２画像データとの合成処理を行う合成処理部を備えたことを特徴とする請求項１に記載のカラーマネジメント処理装置。
【請求項３】
第１画像データと第２画像データは、所定画素数単位で、時分割で前記カラーマネジメント演算部に入力されるように、前記選択制御信号により画像選択部が制御されることを特徴とする請求項１又は２に記載のカラーマネジメント処理装置。
【請求項４】
前記画像選択部により時分割で画像データが切り替わるのに同期してパラメータが切り替わるように、前記パラメータ設定部が前記選択制御信号により制御されることを特徴とする請求項３に記載のカラーマネジメント処理装置。
【発明の詳細な説明】
【技術分野】
【０００１】
本発明は、少なくとも、第１画像データと第２画像データの２つの画像データに対してカラーマネジメント処理を行う装置であって、特に、第１画像データと第２画像データを合成処理する場合のカラーマネジメント処理装置に関するものである。
【背景技術】
【０００２】
画像データを取得し、これに基づいて写真プリントを作成する写真処理システムでは、写真プリントを作成する前にモニター画面に画像を表示させて、適切な画質の写真プリントが作成されるようにしている。例えば、現像済みネガフィルムに形成されているコマ画像をフィルムスキャナーにより読み取り、これをモニター画面に表示させて種々の判定を行う。オペレータにより行われる判定の１つとして、色・濃度の判定があげられ、適切な色・濃度の写真プリントが作成されるように、必要に応じて色・濃度の補正値を入力する。補正値を入力すると、モニター画面に表示される画像の色・濃度も変化し、得られるであろう写真プリントの画像をシミュレート画像により確認することができる。
【０００３】
この場合、モニター画面に確認したとおりの色・濃度で、写真プリントが作成される必要がある。しかしながら、モニター画面で見る色再現領域と、写真プリントを作成するプリンター部の色再現領域とは異なっているため、これらをマッチングさせておく必要がある。そのために、カラーマネジメント処理（以下、ＣＭＳ処理ということがある）が行われており、デバイス間の色再現領域の差異をなくすようにしている（例えば、下記特許文献１，２を参照）。このＣＭＳ処理においては、処理を行うためのパラメータ（プロファイルあるいはデバイスプロファイルともいう）が用いられ、これは種々のデバイスが表現できる固有の色が、標準色域ではどの色に該当するのかを１色１色表したテーブルのことをいう。すなわち、標準色域を基準として各デバイスの特性をパラメータで表すものである。
【特許文献１】特開２００３−２４４４６８号公報
【特許文献２】特開２００３−３２４６２１号公報
【発明の開示】
【発明が解決しようとする課題】
【０００４】
かかる場合における本発明の課題を説明する。画像データを用いて写真プリントを作成する場合に、ポストカードやカレンダーを作成するために、カメラ画像データ（第１画像データに相当）とフレーム画像データ（第２画像データに相当）とを重ね合わせて画像合成処理を行うことがある。カメラ画像データは、主としてネガフィルム等の写真フィルムから読み取られて取得するのに対して、フレーム画像データは、パソコンで編集されて作成されることが多い。すなわち、カメラ画像データとフレーム画像データとは、別々のルートで取得されることが多いため、ＣＭＳ処理を行う場合は、カメラ画像データとフレーム画像データとは、使用すべきパラメータが異なっている。すなわち、合計で２回のＣＭＳ処理を行う必要があり、夫々についてＣＭＳ処理を行った後、画像合成処理を行う。
【０００５】
ＣＭＳ処理を行う場合、ハードウェアで行う方が処理時間は速くなるが、カメラ画像データとフレーム画像データを別々のハードウェアでＣＭＳ処理すると、コスト上昇を招くという問題がある。従って、従来は画像合成を行う場合、カメラ画像データに対するＣＭＳ処理は、ハードウェアにより行うようにし、フレーム画像データに対するＣＭＳ処理はソフトウェアの機能により行うようにしていた。その結果、写真処理の効率が低下するという問題を有していた。
【０００６】
本発明は上記実情に鑑みてなされたものであり、その課題は、第１画像データと第２画像データに対してＣＭＳ処理を行う場合に、コスト上昇を抑制して処理時間を速くできるカラーマネジメント処理装置を提供することである。
【課題を解決するための手段】
【０００７】
上記課題を解決するため本発明に係るカラーマネジメント処理装置は、
少なくとも、第１画像データと第２画像データの２つの画像データに対してカラーマネジメント処理を行う装置において、
選択制御信号に基づいて、第１画像データあるいは第２画像データのいずれかを選択する画像選択部と、
カラーマネジメント処理回路であって、
選択された画像データに対してカラーマネジメント処理を行うためのパラメータが設定されるパラメータ設定部、及び、
選択された画像データに対して、設定されたパラメータに基づきカラーマネジメント処理を行うカラーマネジメント演算部とを有するカラーマネジメント処理回路とを備え、
カラーマネジメント処理された第１画像データあるいは第２画像データをカラーマネジメント演算部から出力させるように構成したことを特徴とするものである。
【０００８】
この構成によるカラーマネジメント処理装置の作用・効果を説明する。カラーマネジメント処理を行うためのカラーマネジメント処理回路が設けられており、第１画像データと第２画像データのいずれも、同じカラーマネジメント処理回路で処理される。いずれの画像データに対する処理を行うかについては、選択制御信号に基づいて、画像選択部により選択される。パラメータ設定部には、カラーマネジメント処理を行うためのパラメータが設定され、この設定されたパラメータに基づいて、選択された画像データに対するカラーマネジメント処理が行われる。処理された第１画像データと第２画像データは、カラーマネジメント演算部から出力される。
【０００９】
この構成によれば、第１画像データと第２画像データは、いずれも同じカラーマネジメント演算部（カラーマネジメント処理回路）で処理されるため、ハードウェアを使用しながらもコスト上昇を抑制することができる。また、カラーマネジメント演算部への画像データの入力は、画像選択部により選択制御されるため、第１画像データと第２画像データのいずれかを選択的にカラーマネジメント演算部へ入力させて処理することができる。これにより、第１画像データと第２画像データを同時並行的に処理することも可能になる。その結果、第１画像データと第２画像データに対してＣＭＳ処理を行う場合に、コスト上昇を抑制して処理時間を速くできるカラーマネジメント処理装置を提供することができる。
【００１０】
本発明において、前記第２画像データは、第１画像データと画像合成されるべき画像データであり、
前記パラメータ設定部に設けられ、第１画像データに対してカラーマネジメント処理を行うための第１パラメータを設定する第１設定部と、
前記パラメータ設定部に設けられ、第２画像データに対してカラーマネジメント処理を行うための第２パラメータを設定する第２設定部と、
前記選択制御信号に基づいて、第１パラメータあるいは第２パラメータのいずれかを選択するパラメータ選択部とを備え、
選択された画像データとパラメータに基づいて、前記カラーマネジメント演算部においてカラーマネジメント処理が行われ、
カラーマネジメント処理された第１画像データと第２画像データとの合成処理を行う合成処理部を備えることが好ましい。
【００１１】
この構成によれば、第１画像データと第２画像データとが画像合成されて合成画像データが作成される。そして、第１画像データと第２画像データとが、別々のルートで取得された場合を考慮して、第１画像データについては、第１設定部に設定される第１パラメータにより処理が行われ、第２画像データについては、第２設定部に設定される第２パラメータにより処理が行われる。パラメータ設定部では、選択制御信号に基づいて、第１パラメータか第２パラメータが選択される。
【００１２】
すなわち、同じ選択制御信号により画像データとパラメータが選択され、この選択されたデータに基づいて、カラーマネジメント演算部においてカラーマネジメント処理が行われる。すなわち、選択された画像データに対する適切なパラメータにより、処理が実行され出力される。カラーマネジメント処理が行われた第１画像データと第２画像データにより、合成処理部において合成処理が行われる。このように、夫々の画像データに対して適切なカラーマネジメント処理が１つのカラーマネジメント演算部において行われる。
【００１３】
本発明において、第１画像データと第２画像データは、所定画素数単位で、時分割で前記カラーマネジメント演算部に入力されるように、前記選択制御信号により画像選択部が制御されることが好ましい。
【００１４】
第１画像データと第２画像データを選択的にカラーマネジメント演算部に入力させる場合、所定画素数単位で時分割で入力させることが好ましい。所定画素数は、１画素（ピクセル）単位、あるいは、複数画素単位で交互に時分割で入力させることができる。これにより、同時並行的に第１画像データと第２画像データの処理を実行することができ、カラーマネジメント演算部を共通で使用しながらも、処理効率を高めることができる。
【００１５】
本発明において、前記画像選択部により時分割で画像データが切り替わるのに同期してパラメータが切り替わるように、前記パラメータ設定部が前記選択制御信号により制御されることが好ましい。
【００１６】
この構成によると、画像選択部で画像データが選択されるのに同期して、選択された画像データに対応したパラメータも切り替わるため、常に適切なパラメータでカラーマネジメント処理を行うことができる。
【発明を実施するための最良の形態】
【００１７】
本発明に係るカラーマネジメント処理装置が使用される写真処理システムの好適な実施形態を図面を用いて説明する。図１は、写真処理システムの構成を示す概念図である。
【００１８】
＜写真処理システムの構成＞
図１に示す写真処理システムは、ネガフィルム等から画像データを取得して、写真プリントを作成するためのシステム構成を示すものである。画像入力部１は、画像データを入力させるための機能を提供する。フィルムスキャナー１ａは、現像済みネガフィルム（写真フィルム）に形成されているコマ画像をスキャニングして読み取ることができる。媒体装着部１ｂは、デジタルカメラに使用される記憶メディアや、その他のＭＯディスク、ＣＤ−Ｒ等の記憶メディアを装着することができ、装着された記憶メディアに格納されている画像データを読み出すことができる。画像入力部１を介して入力された画像データは、画像保存部２にいったん保存される。
【００１９】
第１画像処理部３は、入力された画像データをプリント処理するにあたり、適切な画質で写真プリントがされるように、画像データに対する補正データを設定する機能を有し、主としてソフトウェアの機能により実現できるものである。サムネイル画像生成手段３ａは、画像保存部２に保存されている画像データを処理してサムネイル画像データを生成する機能を有する。モニター４の画面には、サムネイル画像の形で表示させる。モニター４には、所定枚数の画像が一度に表示できるようになっており、オペレータは、このサムネイル画像を見ながら、適切な画質の写真プリントが作成されるか否かを判断する。この表示されるサムネイル画像は、実際に写真プリントされる画像と同等のものを示すものであり、シミュレート画像に相当するものである。
【００２０】
画像処理手段３ｂは、表示されるサムネイル画像に対して補正データが設定された場合、その補正データに基づいて、サムネイル画像を処理し補正された画像データを生成する機能を有する。例えば、オペレータがモニター４を見て、色・濃度が適切ではないと判断した場合、色・濃度の補正データ（補正値）を入力することができ、入力された補正データにより補正された画像を再度モニター画面上で確認することができる。また、色・濃度以外の補正データとしては、赤目補正や逆光補正などの補正データ、トリミングを行うための補正データ、プリントサイズに関するデータなどがあげられる。補正データの設定入力等は、キーボードやマウス等の入力操作部５により行うことができる。設定された補正データは、補正データ保存部６に保存される。補正データは、各コマ画像ごとに設定されるものである。
【００２１】
合成情報設定手段３ｃは、画像合成を行う場合の合成情報を設定する機能を提供する。画像合成としては、画像入力部１を介して入力されたカメラ画像データ（第１画像データに相当）と、このカメラ画像データと画像合成されるフレーム画像データ（第２画像データに相当）とを画像合成するものが代表的である。例えば、カレンダープリントやポストカードでは、予め用意されたカレンダーやポストのフレーム画像データの中に、カメラ画像データをはめ込み合成する。合成情報としては、どのような割合で２つの画像データを合成処理するのかを表すデータや、合成画像データに挿入される文字等のデータがあげられる。合成情報は、合成情報保存部１４に保存されているものの中から選択することができる。
【００２２】
パラメータ保存部７には、カラーマネジメント処理（ＣＭＳ処理）を行うときに使用されるパラメータ（プロファイルあるいはデバイスプロファイルともいう）が保存される。このパラメータは、種々のデバイスが表現できる固有の色が、標準色域ではどの色に該当するのかを１色１色表した変換テーブル、または変換式のことをいう。すなわち、標準色域を基準として各デバイスの特性をパラメータで表すものである。パラメータ保存部７には、モニター４、フィルムスキャナー１ａ、プリンター部のパラメータなどが保存されている。また、媒体装着部１ｂに装着される記憶メディアに関するデバイス（例えば、それが使用されたデジタルカメラ等）のパラメータも保存される。
【００２３】
ＣＭＳ処理の具体例としては、２種類考えられ、１つは３次元ＬＵＴで処理する方法である。３次元ＬＵＴの場合、ＬＵＴのメモリ空間が膨大になるため、ＬＵＴの格子点の数を間引きすることが好ましい。格子点から外れたものは補間処理を行う。この場合、ＬＵＴの格子点がパラメータとなる。もう１つは変換式で処理する方法であり、処理前を（Ｒ，Ｇ，Ｂ）、処理後を（ｒ，ｇ，ｂ）とした場合、ｒ＝ｆr（Ｒ，Ｇ，Ｂ），ｇ＝ｆg（Ｒ，Ｇ，Ｂ），ｂ＝ｆb（Ｒ，Ｇ，Ｂ）の変換を行う。
【００２４】
前述したように、モニター４を見ながら、写真プリントとして作成されるであろう画像の色・濃度の判定を行うため、モニター４の画面で確認した色・濃度と、実際に仕上がる写真プリントの画像の色・濃度とは一致させておく必要がある。そのために、ＣＭＳ処理が行われている。
【００２５】
表示制御手段３ｄは、モニター４に種々の画面表示を行わせるための表示処理を行う。また、モニター画面に表示させる際は、パラメータ保存部７に保存されているパラメータを適宜使用してＣＭＳ処理を行ったうえで、表示をさせるようにしている。このＣＭＳ処理は、ソフトウェアの機能によるものである。
【００２６】
フレーム画像保存部８には、カメラ画像データと画像合成されるフレーム画像データが多数保存されており、この中の任意の１つを読み出して使用することができる。フレーム画像データは、主として画像編集ソフト９により作成することができるが、これに限定されるものではなく、画像入力部１を介して取得された画像データを使用してフレーム画像データとしてもよい。また、画像編集ソフト９により画像合成を行うための合成情報を作成することができ、作成した合成情報は合成情報保存部１４に保存される。
【００２７】
第２画像処理部１０（画像処理基板）は、主としてハードウェアの機能に基づく画像処理を行うものであり、第１画像処理部３による作業で設定された補正データと、画像入力部１から取得された画像データを用いて、写真プリントを作成するためのプリント画像データを生成する機能を有する。
【００２８】
ＣＭＳ処理装置１１は、先ほど説明したカラーマネジメント処理を行う機能を提供するものであり、主として、ハードウェア（処理回路）により実現されるものである。ＣＭＳ処理装置１１の詳細については、後述する。
【００２９】
合成処理部１２は、カメラ画像データとフレーム画像データの画像合成処理を行う。合成処理を行うときに必要な合成情報は、第１画像処理部３の合成情報設定手段３ｃの機能に基づき設定される。画像合成を行わない場合は、合成処理部１２による処理は行われない。
【００３０】
次に、プリンター部２０の機能について説明する。ペーパーマガジン２１には、画像が焼付露光されるペーパー（写真感光材料）がロールの形態で収容されている。ペーパーマガジン２１から引き出された長尺状のペーパーは、ペーパーカッター２２により所定のプリントサイズにカットされる。
【００３１】
露光エンジン２３は、ＣＭＳ処理装置１１あるいは合成処理部１２から出力されるプリント画像データに基づいて、ペーパーの乳剤面に走査露光を行うことで、画像を露光形成する。露光エンジン２３として、例えば、露光エンジン、ＰＬＺＴエンジン、ＣＲＴエンジン等を使用することができる。露光エンジン２３により画像が焼付露光されたペーパーは、現像処理部２４に送り込まれて、所定の現像処理が施された後、乾燥処理部２５にて乾燥処理され、ペーパー排出部２６から仕上がりの写真プリントとして排出される。
【００３２】
制御部１３は、写真処理システムの各部に対する制御を行う。また、後述する選択制御信号を出力する。
【００３３】
＜画像合成について＞
次に、カメラ画像データとフレーム画像データの画像合成の一例を図２により説明する。図２には、フレーム画像Ｇｆの例をいくつか図示している。フレーム画像Ｇｆとしては、多数の変形例が考えられる。フレーム画像Ｇｆと画像合成されるカメラ画像Ｇｃが示されており、これらを画像合成することで、カメラ画像Ｇｃをフレーム画像Ｇｆにはめ込んだプリントＰｆｃを作成することができる。
【００３４】
＜ＣＭＳ処理装置の構成＞
次に、ＣＭＳ処理装置の詳細な構成を図３のブロック図により説明する。カメラ画像メモリ３０は、第２画像処理部１０において画像処理されたカメラ画像データが一時的に記憶される。フレーム画像メモリ３１は、フレーム画像保存部８から読み出されたフレーム画像データが一時的に記憶される。合成情報メモリ３２は、合成情報設定手段３ｃにより設定された合成情報が一時的に記憶される。これらメモリ３０，３１，３２は、ハードウェア的に夫々独立したメモリで構成してもよいし、１つのメモリ内の記憶空間を分けることで構成してもよい。
【００３５】
ＦＩＦＯメモリ３３は、カメラ画像メモリ３０から読み出されたカメラ画像データが一時的に記憶されるバッファメモリである。ＦＩＦＯメモリ３４は、フレーム画像メモリ３１から読み出されたフレーム画像データが一時的に記憶されるバッファメモリである。ＦＩＦＯメモリ３５は、合成情報メモリから読み出された合成情報が一時的に記憶されるバッファメモリである。
【００３６】
第１セレクタ３６（画像選択部に相当）は、画像データ選択回路であり、選択制御信号に基づいて、ＦＩＦＯメモリ３３のカメラ画像データか、ＦＩＦＯメモリ３４のフレーム画像データのいずれか一方を選択的に出力させる。選択制御信号は、制御部１３から送られてくる指令信号であり、カメラ画像データかフレーム画像データのいずれかを選択させるための制御信号である。
【００３７】
次に、ＣＭＳ処理回路３７の構成を説明する。パラメータ設定部３８は、パラメータ保存部７に保存されているパラメータを読み出し、プリント用のパラメータを設定し記憶する。パラメータ設定部３８に設定されたパラメータに基づいて、ＣＭＳ処理が行われる。第１パラメータ用メモリ３８ａ（第１設定部に相当）は、カメラ画像データに対してＣＭＳ処理を行うための第１パラメータが記憶される。第２パラメータ用メモリ３８ｂ（第２設定部に相当）は、フレーム画像データに対してＣＭＳ処理を行うための第２パラメータが記憶される。
【００３８】
なお、パラメータ設定部３８には、パラメータ保存部７のパラメータをそのまま保存するのではなく、例えば、パラメータ保存部７に「フィルムスキャナー１⇔標準色のプロファイル（１）」「プリンター⇔標準色のプロファイル（２）」が保存されている場合、これらプロファイル（１）（２）から算出された「フィルムスキャナー１⇔プリンターのプロファイル」が設定される。
【００３９】
第２セレクタ３９（パラメータ選択部に相当）は、パラメータ選択回路であり、選択制御信号に基づいて、第１パラメータ用メモリ３８ａの第１パラメータか、第２パラメータ用メモリ３８ｂの第２パラメータのいずれか一方を選択的に読み出して、ＣＭＳ演算回路（カラーマネジメント演算部に相当）４０に出力する。
【００４０】
ＣＭＳ演算回路４０は、画像データに対してＣＭＳ処理を行う機能を有する。選択制御信号によりカメラ画像データが選択されて入力された場合は、これに同期して第１パラメータが選択されてＣＭＳ処理が行われる。選択制御信号によりフレーム画像データが選択されて入力された場合は、これに同期して第２パラメータが選択されてＣＭＳ処理が行われる。
【００４１】
画像データを第１セレクタ３６により選択する場合は、１画素ごとあるいは１パケット（複数画素数）ごとに、カメラ画像データとフレーム画像データを交互に選択して、ＣＭＳ演算回路４０へと出力していくことが好ましい。すなわち、カメラ画像データとフレーム画像データを時分割で交互に入力させるようにすることで、カメラ画像データとフレーム画像データを同時並行処理し、処理効率を高めることができる。時分割で画像データを処理する場合は、そのような選択制御信号が送信され、これに同期して第２セレクタ３９によるパラメータの選択も切り換え制御される。
【００４２】
合成処理部１２（合成処理回路）は、ＣＭＳ演算回路４０でＣＭＳ処理されたカメラ画像データとフレーム画像データの合成処理を行う。合成処理は、ＦＩＦＯメモリ３５から同期して送信されてくる合成情報に基づいて行われる。合成情報の具体的なデータ内容は、大きく２つに分けることができる。１つ目は、カメラ画像データとフレーム画像データを合成する場合の合成比率が、各画素ごとに規定されている。すなわち、合成画像データを構成する各画素について、カメラ画像データｎ％、フレーム画像データｍ％、（ｎ＋ｍ＝１００％）が規定されている。２つ目は、フロントプリントのデータであり、例えば、文字データを画像中に挿入する場合は、その文字を表す画像データが合成情報として送信される。文字を挿入する場合は、その文字を表す画像データをカメラ画像データやフレーム画像データに優先して、合成画像データの構成画素として挿入させる。以上のような処理が、各画素について合成処理部１２で行われることで合成画像データが生成される。合成画像データは、バッファ４１を介して露光エンジン２３へ転送される。なお、バッファ４１は必ずしも必要ない。また、合成処理をしない画像データの場合は、合成処理部１２による処理は行われないで、ＣＭＳ処理が行われた後、直ちに露光エンジン２３へ転送される。
【００４３】
＜ＣＭＳ処理を行う場合の手順＞
以上のような構成において、ＣＭＳ処理が行われる場合の処理手順を簡単に説明する。画像データは、補正データ保存部６に保存された補正データに基づいて、画像処理が行われ、ＣＭＳ処理前のプリント画像データを生成する。画像処理されたカメラ画像データとフレーム画像データは、カメラ画像メモリ３０とフレーム画像メモリ３１に夫々記憶された後、各ＦＩＦＯメモリへ読み出される。
【００４４】
選択制御信号がカメラ画像の選択であれば、ＦＩＦＯメモリ３３のカメラ画像データを１パケット分ＣＭＳ演算回路４０に出力すると共に、第１パラメータが選択される。選択制御信号がフレーム画像であれば、フレーム画像データを１パケット分ＣＭＳ演算回路４０に出力すると共に、第２パラメータが選択される。ＣＭＳ処理は、１パケットごと、時分割で行われる。
【００４５】
ＣＭＳ演算回路４０でＣＭＳ処理された画像データは、前述のように合成処理が行われた後、プリンター部へ送信され、写真プリントの作成が行われる。
【００４６】
＜別実施形態＞
本実施形態では、カメラ画像データとフレーム画像データを画像合成する場合のＣＭＳ処理について説明したが、本発明に係るＣＭＳ処理装置１１は、画像合成を行わない次のような場合にも使用することができる。すなわち、画像合成しないカメラ画像データを連続的にＣＭＳ処理する場合、１コマずつＣＭＳ演算回路へ出力するのではなく、２つのメモリ３０，３１を利用して、２コマ分のカメラ画像データを入力させ、これを選択制御信号に基づいて、時分割でＣＭＳ処理を行うことができる。この場合、例えば同じネガフィルムから取得した画像データであれば、第１パラメータも第２パラメータは、同じパラメータであるので、パラメータについては選択制御を行う必要はない。
【００４７】
本実施形態では、合成画像データを用いて写真プリントを作成する例を説明したが、ＣＤ−Ｒ等の記憶メディアに合成画像データを書き込む場合にも、適用することができる。
【図面の簡単な説明】
【００４８】
【図１】写真処理システムの構成を示す概念図
【図２】画像合成を説明する図
【図３】ＣＭＳ処理装置の機能を示すブロック図
【符号の説明】
【００４９】
１      画像入力部
３      第１画像処理部
３ｃ    合成情報設定手段
７      パラメータ保存部
８      フレーム画像保存部
１０    第２画像処理部
１１    ＣＭＳ処理装置
１２    合成処理部
１３    制御部
２０    プリンター部
３０    カメラ画像メモリ
３１    フレーム画像メモリ
３２    合成情報メモリ
３３，３４，３５        ＦＩＦＯメモリ
３６    第１セレクタ
３７    ＣＭＳ処理回路
３８    パラメータ設定部
３８ａ 第１パラメータ用メモリ
３８ｂ 第２パラメータ用メモリ
３９    第２セレクタ
４０    ＣＭＳ演算回路
【図１】
2006287693.tif 000003
【図２】
2006287693.tif 000004
【図３】
2006287693.tif 000005